(57)【要約】【課題】扉の開閉操作に支障をきたすことなく、隙間を塞ぐことができるトイレブースの扉装置を提供すること。【解決手段】トイレブース１の前面板３、４間の開口を開閉可能とした扉６を備えるトイレブース１の扉装置であって、これら両前面板３、４の少なくとも一方の前面板４の側端縁を覆う前面板側縁材９を設けるとともに、この前面板側縁材９から開口側を向き上下方向に延びる凸条１２を突設し、この凸条１２の全体を覆う緩衝材１０を、凸条１２に取り付け、扉６が閉じられた時に扉６と前面板４間に生じる隙間を前後方向から塞いでトイレブース１の扉装置を構成する。【選択図】  図４
2004353402.tif 000002
【特許請求の範囲】
【請求項１】
トイレブースの前面板間の開口を開閉可能とした扉を備えるトイレブースの扉装置であって、前記両前面板の少なくとも一方の前面板の側端縁を覆う前面板側縁材を設けるとともに、該前面板側縁材から開口側を向き上下方向に延びる凸条を突設し、該凸条の略全体を覆う緩衝材を、前記凸条に取り付け、前記扉が閉じられた時に前記扉と前記前面板間に生じる隙間を前後方向から塞いだことを特徴とするトイレブースの扉装置。
【請求項２】
前記扉の端縁には、段部を有する扉側縁材を設けるとともに、前記凸条を、前記前面板側縁材の前後方向中央から突設させ、前記扉側縁材の段部を前記緩衝材に当接させた請求項１に記載のトイレブースの扉装置。
【請求項３】
前記緩衝材と前記扉側縁材が、前記扉と前面板の前後面と略面一となるようにした請求項１または２に記載のトイレブースの扉装置。
【請求項４】
前記前面板側縁材が、少なくとも開口側からネジを介して前記前面板の側端縁に取り付けられており、前記ネジを前記緩衝材により隠蔽させた請求項１ないし３の何れかに記載のトイレブースの扉装置。
【請求項５】
前記扉側縁材が、前記扉の左右両方の側端縁に設けられているとともに、前記前面板側縁材と前記緩衝材が、前記扉の左右両方の前記前面板の側端縁に設けられている請求項２ないし４の何れかに記載のトイレブースの扉装置。
【発明の詳細な説明】
【０００１】
【発明の属する技術分野】
本発明は、トイレブースの扉装置に関する。
【０００２】
【従来の技術】
従来のトイレブースの扉は開閉操作できるように、扉を閉じた際にトイレブースの前面板の端縁と、扉の端縁との間には、隙間が形成されるように取り付けられている。そのため、隙間を通してトイレブースの外部から内部が、若干見えることがあり、外部から内部が見えないように、前面板と扉の端縁同士を接触させて隙間を無くすと、扉の開閉操作に支障をきたすことになる。そこで、前面板の端縁と扉の端縁を互いに曲面に構成させることにより、トイレブースの内部が見えないようにしているものがある。（例えば、特許文献１参照）
【０００３】
【特許文献１】
特開２００２−１０６０９１号公報（第３頁、第３図）
【０００４】
【発明が解決しようとしている課題】
しかしながら、特許文献１にあっては、トイレブースの前面板の端縁と扉の端縁との間の隙間を完全に無くすことが出来ず、寸法誤差や取付具合によっては、隙間が大きく開いてしまい見る角度によっては、その隙間を通して扉を閉めた状態で外部からトイレブース内部が見える恐れがある。
【０００５】
本発明は、このような問題点に着目してなされたもので、扉の開閉操作に支障をきたすことなく、隙間を塞ぐことができるトイレブースの扉装置を提供することを目的とする。
【０００６】
【課題を解決するための手段】
上記の目的を解決するために、本発明のトイレブースの扉装置は、トイレブースの前面板間の開口を開閉可能とした扉を備えるトイレブースの扉装置であって、前記両前面板の少なくとも一方の前面板の側端縁を覆う前面板側縁材を設けるとともに、該前面板側縁材から開口側を向き上下方向に延びる凸条を突設し、該凸条の略全体を覆う緩衝材を、前記凸条に取り付け、前記扉が閉じられた時に前記扉と前記前面板間に生じる隙間を前後方向から塞いだことを特徴としている。
この特徴によれば、前面板と扉との間に生じる隙間を前後方向から塞ぐことで、扉の開閉操作に支障をきたすことなく、隙間を無くすことができるので、トイレブースの内部を確実に隠蔽できるようになる。また、緩衝材が設けられていることで、扉を閉じた時の衝撃を緩衝材を介して前面板側縁材で受けとめるので、耐久性があり、かつ、打撃音も防止できるばかりでなく、人の出入りに対しても凸条がむき出しでなく緩衝材で覆われているので安全であり、緩衝材が強固に支持されることにもなる。
【０００７】
本発明のトイレブースの扉装置は、前記扉の端縁には、段部を有する扉側縁材を設けるとともに、前記凸条を、前記前面板側縁材の前後方向中央から突設させ、前記扉側縁材の段部を前記緩衝材に当接させたことが好ましい。
このようにすれば、扉側縁材の段部が緩衝材に当接するので、確実に扉と前面板間に生じる隙間の一部を前後方向から塞ぐことができる。また、扉の端縁の破損が防止できるようになり、扉が長期間の使用に耐えられるようになる。
【０００８】
本発明のトイレブースの扉装置は、前記緩衝材と前記扉側縁材が、前記扉と前面板の前後面と略面一となるようにしたことが好ましい。
このようにすれば、前面板と扉と緩衝材と扉側縁材を面一にされていることで、扉と前面板との間に凸凹が形成されず、トイレブースの美観が向上するようになっている。
【０００９】
本発明のトイレブースの扉装置は、前記前面板側縁材が、少なくとも開口側からネジを介して前記前面板の側端縁に取り付けられており、前記ネジを前記緩衝材により隠蔽させたことが好ましい。
このようにすれば、ネジが緩衝材により隠蔽されることで、トイレブースの美観が向上するようになる。また、ネジの緩みなどによって、ネジが前面板側縁材から突出したときに、トイレブースの使用者の衣服等が、ネジに引っ掛ることを防止できるようになる。
【００１０】
本発明のトイレブースの扉装置は、前記扉側縁材が、前記扉の左右両方の側端縁に設けられているとともに、前記前面板側縁材と前記緩衝材が、前記扉の左右両方の前記前面板の側端縁に設けられていることが好ましい。
このようにすれば、トイレブースの扉装置の左右に生じる隙間を同じ構成で塞ぐことにより、左右の隙間を塞ぐために用いられる部品の共通化ができるとともに、トイレブースの扉装置の外観が左右対称となるので、トイレブースの扉装置の美観が向上する。
【００１１】
【発明の実施形態】
以下、本発明の実施例を図面に基づいて説明すると、先ず図１は、本発明の第１実施形態における扉装置を用いたトイレブースの全体像を示す斜視図であり、図１の符号１は、本発明の適用されたトイレブースであり、このトイレブース１おける前面板２、３、４の間の開口には、開閉可能とした片開き式の扉５、６が設けられている。
【００１２】
両扉５、６は同一構成なので一方の扉６に付き説明する。この扉６はヒンジ７を介して一方の前面板３に取り付けられており、トイレブース１の内側に向かって開くようになっている。扉６の左右の側端縁には、扉側縁材８、８’が取り付けられており、この扉６の左右の前面板３、４の側端縁には、前面板側縁材９、９’が取り付けられている。
【００１３】
前面板３、４に取り付けられている前面板側縁材９、９’は、同一構成なので、一方の前面板４に取り付けられる前面板側縁材９について図２を用いて詳述する。
【００１４】
図２は、緩衝材１０と前面板側縁材９の斜視図であり、前面板側縁材９は、金属等の材質で構成された断面コ字状をしており、その両端縁が屈曲されて前面板４の前後側面と係合する保持条１１が長手方向に沿って形成されている。前面板側縁材９の幅の中央には、凸条１２が長手方向に沿って突設させられており、この凸条１２は、断面視で先端が膨出された形状をしている。
【００１５】
凸条１２は保持条１１と反対方向（即ち、開口側に向く方向）に突設されており、前面板側縁材９が前面板４に取り付けられる際には、保持条１１が前面板４側を向き、凸条１２が開口側を向くように取り付けられる。前面板側縁材９の凸条１２の近傍には、前面板側縁材９の取付用のネジ１３を挿通させることができる複数の孔部１４が形成されている。
【００１６】
図２に示された緩衝材１０は、弾力性を有する軟質ゴム等の材質で構成されており、緩衝材１０の長手方向の長さが、前面板側縁材９の長手方向の長さとほぼ同じになるように形成されている。この緩衝材１０には、前面板側縁材９の凸条１２に嵌合させることができる凹条１５が、長手方向に沿って凹設されている。
【００１７】
この緩衝材１０は、軟質ゴム等の材質で押出し成形されているので、形状のバランスをとるために、凹条１５に平行に溝部１６が形成されている。また、この緩衝材１０が溝部１６を有することで、緩衝材１０を製造するための材料費を節約できるようになっている。
【００１８】
緩衝材１０と前面板側縁材９を前面板４に取り付ける際には、先ず、前面板側縁材９の保持条１１を前面板４の前後側面を挟むようにして、前面板側縁材９を前面板４の側端縁に取り付け、複数のネジ１３を開口側から複数の孔部１４に挿通させて、前面板側縁材９を前面板４に固定させる。
【００１９】
続いて、緩衝材１０の凹条１５を前面板側縁材９の凸条１２に、凸条１２の一端から嵌合させ、緩衝材１０を長手方向に摺動させることで、緩衝材１０を前面板側縁材９に取り付けることができる。
【００２０】
扉６の左右両側端縁に取り付けられている扉側縁材８、８’は、同一構成なので、片方の扉側縁材８について図３を用いて詳述する。
【００２１】
図３は、扉側縁材８の斜視図であり、この扉側縁材８は、合成樹脂等の材質で構成されており、扉側縁材８の長手方向の長さが、扉６の長手方向の長さとほぼ同じになるように形成されている。この扉側縁材８には、段部１７が長手方向に沿って突設されている。扉側縁材８の段部１７の反対側には、係合条１８が長手方向に沿って突設されており、この係合条１８は断面視が略ツリー形状をしている。
【００２２】
扉６の端縁には、扉側縁材８の係合条１８が係合できるように、係合溝１９が長手方向に沿って形成されている。扉側縁材８が扉６に取り付けられる際には、扉側縁材８の係合条１８を扉６の端縁に形成された係合溝１９に、係合溝１９の一端から係合させ、扉側縁材８を長手方向に摺動させることで、扉側縁材８を扉６に取り付けることができる。
【００２３】
図４は、トイレブース１の扉装置の横断平面図であり、扉６の開く側がトイレブース１の内方となっているが、前面板３、４の図において下方をトイレブース１の内方としても適用できることはいうまでもない。前面板３と扉６の間には、ヒンジ７が配置されており、このヒンジ７はネジ２０により前面板３の後面と扉６の後面に取り付けられている。ヒンジ７を介して前面板３に取り付けられた扉６は、トイレブース１の内方に向かって開くようになっている。
【００２４】
扉６の両側端には、係合溝１９、１９’が長手方向に沿って形成されており、扉側縁材８、８’の係合条１８、１８’が、扉６の係合溝１９、１９’に挿入されることで、扉側縁材８、８’が扉６に取り付けられている。扉側縁材８、８’の係合条１８、１８’の断面視が略ツリー形状をしていることで、扉側縁材８、８’を強固に扉６に取り付けることができるようになっている。
【００２５】
左右の前面板３、４の側端縁には、前面板側縁材９、９’の保持条１１、１１’が前面板３、４の前後側面を挟むようにして取り付けられており、前面板側縁材９、９’はネジ１３を挿通されることで、前面板３、４に固定されるようになっている。前面板側縁材９、９’の凸条１２、１２’には、凸条１２、１２’の全体を覆う緩衝材１０、１０’が、緩衝材１０、１０’に凹設された凹条１５、１５’を嵌合されることで取り付けられており、この緩衝材１０、１０’により前面板側縁材９、９’のネジ１３を隠蔽できるようになっている。
【００２６】
ネジ１３が隠蔽されることで、トイレブース１の美観が向上するようになるばかりか、ネジ１３の緩みなどによって、ネジ１３が前面板側縁材９、９’から突出したときに、トイレブース１の使用者の衣服等が、ネジ１３に引っ掛ることを防止できるようになっている。また、この緩衝材１０は使用者が金属製の凸条１２に直接触れないように保護する機能も有している。
【００２７】
図４に示すように、扉６が閉じられた際には、扉側縁材８、８’に形成された段部１７、１７’が、前面板側縁材９、９’に取り付けられた緩衝材１０、１０’の後面側に当接されるようになっている。そのため、扉６の開閉操作に支障をきたすことなく、前面板３、４と扉６との間に生じる隙間を完全に塞ぐことができ、トイレブース１の内部を確実に隠蔽できるようになっている。
【００２８】
また、緩衝材１０、１０’と前面板側縁材９、９’と扉側縁材８、８’が、扉６と前面板３、４の前後面と略面一となっており、そのため、扉６と前面板３、４との間に凸凹が形成されず、トイレブース１の美観が向上するようになっている。
【００２９】
そして、トイレブース１の扉６の左右に生じる隙間が、各々同じ構成をしている緩衝材１０、１０’と前面板側縁材９、９’と扉側縁材８、８’を用いて塞がれていることにより、部品の共通化ができるようになり、トイレブース１を製造し易くなるとともに、トイレブース１の扉６の外観が左右対称となるので、トイレブースの扉６の見栄えが良くなる。
【００３０】
更に、軟質ゴム等の材質で構成されている緩衝材１０、１０’が、前面板側縁材９に取り付けられていることにより、扉６を閉じた際に、扉６の片方に取り付けられている扉側縁材８が、前面板４に取り付けられている前面板側縁材９と当接することで生じる打撃音を防止できるようになっている。
【００３１】
この緩衝材１０、１０’は、前面板側縁材９、９’に形成された凸条１２、１２’全体を覆うように嵌合されていることで、緩衝材１０、１０’が強固に支持されることになる。扉６の両端縁には、扉側縁材８、８’が設けられていることで、扉６の両端縁の破損が防止できるようになるばかりか、扉６が長期間の使用に耐えられるようになっている。
【００３２】
次に、第２実施形態に係るトイレブース２１の扉装置につき、図５を参照して説明する。なお、上記実施形態と同一構成で重複する構成を省略する。
【００３３】
図５は、第２実施形態におけるトイレブース２１の扉装置の横断平面図であり、図の上方がトイレブース２１の内方側であり、下方がトイレブース２１の出入口側である。左側の前面板２２と扉２４の間には、ヒンジ２５が配置されており、このヒンジ２５はネジ２６により前面板２２の後面と扉２４の後面に取り付けられている。ヒンジ２５を介して前面板２２に取り付けられた扉２４は、トイレブース２１の内方に向かって開くようになっている。
【００３４】
左右の前面板２２、２３の側端縁には、前面板側縁材２７、２７’の保持条２８、２８’が、前面板２２、２３の前後側面を挟むようにして取り付けられており、前面板側縁材２７、２７’は、前後面からネジ２９を挿通されることで、前面板２２、２３に固定されるようになっている。
【００３５】
前面板側縁材２７、２７’の凸条３０、３０’は、前面板側縁材２７、２７’の前面側から開口側に向けて突設されており、この前面板側縁材２７、２７’の凸条３０、３０’には、凸条３０、３０’の全体を覆う緩衝材３１、３１’が、緩衝材３１、３１’に凹設された凹条３２、３２’が凸条３０、３０’とそれぞれ嵌合することで取り付けられている。
【００３６】
扉２４が閉じられた際には、扉２４の左右両側端縁が、前面板側縁材２７、２７’に取り付けられた緩衝材３１、３１’の後面側に当接されるようになっている。そのため、扉２４の開閉操作に支障をきたすことなく、前面板２２、２３と扉２４との間に生じる隙間を完全に塞ぐことができ、トイレブース２１の内部を確実に隠蔽できるようになっている。
【００３７】
次に、第３実施形態に係るトイレブース３３の扉装置につき、図６を参照して説明する。なお、上記実施形態と同一構成で重複する構成を省略する。
【００３８】
図６は、第３実施形態におけるトイレブース３３の扉装置の横断平面図であり、図の上方がトイレブース３３の内方側であり、下方がトイレブース３３の出入口側である。扉３４の内部には、ヒンジ３５が配置されており、この扉３４はヒンジ３５を介してトイレブース３３の内方に向かって開くようになっている。
【００３９】
扉３４の左右両側端には、係合条３６、３６’が長手方向に沿って形成されており、扉側縁材３７、３７’に形成されたの係合溝３８、３８’が、扉３４の係合条３６、３６’に係合されることで、扉側縁材３７、３７’が扉３４に取り付けられている。扉３４の係合条３６、３６’の断面視が略ツリー形状をしていることで、扉側縁材３７、３７’を強固に扉３４に取り付けることができるようになっている。
【００４０】
左右の前面板３９、４０の側端縁には、前面板側縁材４１、４１’の保持条４５、４５’が前面板３９、４０の前後側面を挟むようにして取り付けられており、前面板側縁材４１、４１’はネジ４７を挿通されることで、前面板３９、４０に固定されるようになっている。
【００４１】
前面板側縁材４１、４１’の凸条４２、４２’には、凸条４２、４２’の全体を覆う緩衝材４３、４３’が、緩衝材４３、４３’に凹設された凹条４６、４６’が凸条４２、４２’とそれぞれ嵌合することで取り付けられており、この緩衝材４３、４３’の前後方向の幅は、前面板側縁材４１、４１’の前後方向の幅と同じに形成されている。緩衝材４３、４３’によって前面板側縁材４１、４１’のネジ４２を隠蔽できるようになっている。
【００４２】
図６に示すように、扉３４の左右両端縁に取り付けられた扉側縁材３７、３７’には、段部４４、４４’が形成されており、扉３４が閉じられた際に、ヒンジ３５側に取り付けられた扉側縁材３７’の段部４４’は、前面板側縁材４１’に取り付けられた緩衝材４３’の前面側に当接されるようになり、他方に取り付けられた扉側縁材３７の段部４４は、前面板側縁材４１に取り付けられた緩衝材４３の後面側に当接されるようになっている。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前面板の側端縁を、前面板の端面と前後側面の一部として説明してきたが、前面板の端面だけでも側端縁に含まれるものと定義する。従がって、前面板側縁材９、９’、２７、２７’、４１、４１’は、前面板の端面だけに取り付けられるような板状体のものであってもよい。
【００４５】
また、実施例の説明では、扉の左右両端側に前面板と当接する扉側縁材８、８’、３７、３７’を取り付けた例で説明してあるが、必ずしもこれに限定されるものではなく、ヒンジから離れた方の扉の側端と、これに対向する前面板とに、本発明の隙間を塞ぐ手段を適用し、他側は公知の隙間開閉手段であってもよいものである。
【００４６】
【発明の効果】
本発明は以下の効果を奏する。
【００４７】
（ａ）請求項１に記載の発明によれば、前面板と扉との間に生じる隙間を前後方向から塞ぐことで、扉の開閉操作に支障をきたすことなく、隙間を無くすことができるので、トイレブースの内部を確実に隠蔽できるようになる。また、緩衝材が設けられていることで、扉を閉じた時の衝撃を緩衝材を介して前面板側縁材で受けとめるので、耐久性があり、かつ、打撃音も防止できるばかりでなく、人の出入りに対しても凸条がむき出しでなく緩衝材で覆われているので安全であり、緩衝材が強固に支持されることにもなる。
【００４８】
（ｂ）請求項２に記載の発明によれば、扉側縁材の段部が緩衝材に当接するので、確実に扉と前面板間に生じる隙間の一部を前後方向から塞ぐことができる。また、扉の端縁の破損が防止できるようになり、扉が長期間の使用に耐えられるようになる。
【００４９】
（ｃ）請求項３に記載の発明によれば、前面板と扉と緩衝材と扉側縁材を面一にされていることで、扉と前面板との間に凸凹が形成されず、トイレブースの美観が向上するようになっている。
【００５０】
（ｄ）請求項４に記載の発明によれば、ネジが緩衝材により隠蔽されることで、トイレブースの美観が向上するようになる。また、ネジの緩みなどによって、ネジが前面板側縁材から突出したときに、トイレブースの使用者の衣服等が、ネジに引っ掛ることを防止できるようになる。
【００５１】
（ｅ）請求項５に記載の発明によれば、トイレブースの扉装置の左右に生じる隙間を同じ構成で塞ぐことにより、左右の隙間を塞ぐために用いられる部品の共通化ができるとともに、トイレブースの扉装置の外観が左右対称となるので、トイレブースの扉装置の美観が向上する。
【図面の簡単な説明】
【図１】本発明の第１実施形態における扉装置を用いたトイレブースの全体像を示す斜視図である。
【図２】緩衝材と前面板側縁材を前面板に取り付けるときの斜視図である。
【図３】扉側縁材を扉に取り付けるときの斜視図である。
【図４】トイレブースの扉装置の横断平面図である。
【図５】第２実施形態におけるトイレブースの扉装置の横断平面図である。
【図６】第３実施形態におけるトイレブースの扉装置の横断平面図である。
【符号の説明】
１                トイレブース
２、３、４        前面板
５、６            扉
７                ヒンジ
８、８’          扉側縁材
９、９’          前面板側縁材
１０、１０’      緩衝材
１１、１１’      保持条
１２、１２’      凸条
１３              ネジ
１４              孔部
１５、１５’      凹条
１６、１６’      溝部
１７、１７’      段部
１８、１８’      係合条
１９、１９’      係合溝
２０              ネジ
２１              トイレブース
２２、２３        前面板
２４              扉
２５              ヒンジ
２６              ネジ
２７、２７’      前面板側縁材
２８、２８’      保持条
２９              ネジ
３０、３０’      凸条
３１、３１’      緩衝材
３２、３２’      凹条
３３              トイレブース
３４              扉
３５              ヒンジ
３６、３６’      係合条
３７、３７’      扉側縁材
３８、３８’      係合溝
３９、４０        前面板
４１、４１’      前面板側縁材
４２、４２’      凸条
４３、４３’      緩衝材
４４、４４’      段部
４５、４５’      保持条
４６、４６’      凹条
４７              ネジ
【図１】
2004353402.tif 000003
【図２】
2004353402.tif 000004
【図３】
2004353402.tif 000005
【図４】
2004353402.tif 000006
【図５】
2004353402.tif 000007
【図６】
2004353402.tif 000008